(57)【要約】【課題】アンテナ装置において、アンテナ装置の重力方向に対する姿勢が変化した場合であっても、所定の偏波を良好に受信または送信可能とする。【解決手段】アンテナ装置１００は、横置きされている場合に重力方向を向くように設置された第１のアンテナ１０と、縦置きされている場合に重力方向を向くように設置された第２のアンテナ２０とを備える。スイッチ制御部４２は、アンテナ装置１００が横置きされているか縦置きされているかを検出するセンサ５０の出力に基づいて、アンテナ装置１００が横置きされている場合に、第１のアンテナ１０を用いて垂直偏波を受信または送信するように、また、アンテナ装置１００が縦置きされている場合に、第２のアンテナ２０を用いて、垂直偏波を受信または送信するように、ＲＦスイッチ３０の切り換えを行う。【選択図】図１
2010258490.tif 000002
【特許請求の範囲】
【請求項１】
アンテナ装置であって、
第１のアンテナと、
第２のアンテナと、
前記第１および第２のアンテナのいずれを用いて所定の偏波を受信または送信するかの切り換えを行う切換スイッチと、
を備え、
前記アンテナ装置において、前記第１のアンテナは、前記アンテナ装置の重力方向に対する姿勢が第１の姿勢である場合に、前記第２のアンテナよりも前記所定の偏波に対する感度が高くなる方向に向けて設置されており、
前記アンテナ装置において、前記第２のアンテナは、前記アンテナ装置の重力方向に対する姿勢が前記第１の姿勢とは異なる第２の姿勢である場合に、前記第１のアンテナよりも前記所定の偏波に対する感度が高くなる方向に向けて設置されており、
前記切換スイッチは、
前記アンテナ装置の重力方向に対する姿勢が前記第１の姿勢である場合に、前記第１のアンテナを用いて前記所定の偏波を受信または送信するように、前記切り換えを行い、
前記アンテナ装置の重力方向に対する姿勢が前記第２の姿勢である場合に、前記第２のアンテナを用いて前記所定の偏波を受信または送信するように、前記切り換えを行う、
アンテナ装置。
【請求項２】
請求項１記載のアンテナ装置であって、さらに、
前記アンテナ装置の重力方向に対する姿勢を検出するセンサと、
前記センサの出力に基づいて、前記切換スイッチを制御する切換スイッチ制御部と、
を備えるアンテナ装置。
【請求項３】
請求項１記載のアンテナ装置であって、
前記アンテナ装置の重力方向に対する姿勢に応じて開閉状態が切り換わる重力スイッチと、
前記重力スイッチの開閉状態に基づいて、前記切換スイッチを制御する切換スイッチ制御部と、
を備えるアンテナ装置。
【請求項４】
請求項１記載のアンテナ装置であって、さらに、
前記アンテナ装置の重力方向に対する姿勢に応じて、ユーザによって操作される操作スイッチと、
前記操作スイッチのセット状態に基づいて、前記切換スイッチを制御する切換スイッチ制御部と、
を備えるアンテナ装置。
【請求項５】
請求項１ないし４のいずれかに記載のアンテナ装置であって、
前記第１のアンテナ、および、前記第２のアンテナは、それぞれ、多重通信を行うための複数のアンテナを含む、
アンテナ装置。
【請求項６】
請求項１ないし５のいずれかに記載のアンテナ装置であって、
所定方向から見たときの断面形状が略矩形形状を有する筐体を備えており、
前記第１の姿勢は、前記筐体において、前記略矩形形状の第１の辺を含む面が重力方向に対して略垂直となる姿勢であり、
前記第２の姿勢は、前記筐体において、前記略矩形形状の前記第１の辺と直交する第２の辺を含む面が重力方向に対して略垂直となる姿勢であり、
前記アンテナ装置において、前記第１のアンテナと、前記第２のアンテナとは、前記所定方向から見たときに、互いに９０度ずれた方向を向くように設置されている、
アンテナ装置。
【請求項７】
請求項６記載のアンテナ装置であって、
前記所定の偏波は、垂直偏波であり、
前記アンテナ装置において、前記第１のアンテナは、前記アンテナ装置の重力方向に対する姿勢が前記第１の姿勢であるときに、重力方向を向くように設置されている、
アンテナ装置。
【請求項８】
請求項６記載のアンテナ装置であって、
前記所定の偏波は、水平偏波であり、
前記アンテナ装置において、前記第１のアンテナは、前記アンテナ装置の重力方向に対する姿勢が前記第１の姿勢であるときに、重力方向に対して垂直な方向を向くように設置されている、
アンテナ装置。
【発明の詳細な説明】
【技術分野】
【０００１】
本発明は、アンテナ装置に関するものである。
【背景技術】
【０００２】
無線通信装置には、他の無線通信装置との間で、電波の送受信を行うためのアンテナ装置が備えられる。このようなアンテナ装置において、例えば、垂直偏波を良好に送受信するためには、アンテナ装置が備えるアンテナの姿勢を、重力方向に維持することが好ましい。また、水平偏波を良好に送受信するためには、アンテナ装置が備えるアンテナの姿勢を、水平方向（重力方向に対して垂直な方向）に維持することが好ましい。
【０００３】
そこで、従来、アンテナ装置において、電波を良好に送受信するための種々の技術が提案されている。例えば、下記特許文献１には、アンテナを内蔵する移動通信装置が、移動通信装置の姿勢が変わってもアンテナの重力方向の姿勢を保持するアンテナ保持手段を備えることによって、移動通信装置の姿勢が変わった際の電波の受信状態の低下を低減する技術が記載されている。
【先行技術文献】
【特許文献】
【０００４】
【特許文献１】特開２００３−３４７８１６号公報
【特許文献２】特開２００５−１６７５６９号公報
【特許文献３】特許第３８１５２２４号明細書
【発明の概要】
【発明が解決しようとする課題】
【０００５】
しかし、上記特許文献１に記載された技術では、アンテナの重心軸より離れた位置にアンテナの支軸を設けて、この支軸を移動通信装置の内部に固定するので、この支軸に対して垂直な軸を中心とした回転方向に移動通信装置の姿勢が変化した場合には、アンテナの重力方向の姿勢を保持することができなかった。
【０００６】
また、無線ＬＡＮ（Local Area Network）の普及により、アンテナ装置を備える無線通信装置として、例えば、室内で机上に設置されて利用されるタイプのものが普及している。このようなタイプの無線通信装置は、一般に、いわゆる横置きの状態や、縦置きの状態で利用されるので、アンテナ装置が備えるアンテナの重力方向に対する姿勢が頻繁に変化することはない。したがって、このようなアンテナ装置には、上記特許文献１に記載された技術は必ずしも必要ではなかった。
【０００７】
また、上述した横置きの状態や、縦置きの状態で利用される無線通信装置に、偏波ダイバーシティアンテナを搭載すれば、無線通信装置が、横置きの状態で利用されても、縦置きの状態で利用されても、良好に電波の送受信を行うことができる。しかし、回路構成上、アンテナ装置に偏波ダイバーシティアンテナを搭載できない場合がある。
【０００８】
本発明は、上述の課題を解決するためになされたものであり、アンテナ装置において、アンテナ装置の重力方向に対する姿勢が変化した場合であっても、所定の偏波を良好に受信または送信可能とする新たな技術を提供することを目的とする。
【課題を解決するための手段】
【０００９】
本発明は、上述の課題の少なくとも一部を解決するためになされたものであり、以下の形態又は適用例として実現することが可能である。
【００１０】
［適用例１］アンテナ装置であって、第１のアンテナと、第２のアンテナと、前記第１および第２のアンテナのいずれを用いて所定の偏波を受信または送信するかの切り換えを行う切換スイッチと、を備え、前記アンテナ装置において、前記第１のアンテナは、前記アンテナ装置の重力方向に対する姿勢が第１の姿勢である場合に、前記第２のアンテナよりも前記所定の偏波に対する感度が高くなる方向に向けて設置されており、前記アンテナ装置において、前記第２のアンテナは、前記アンテナ装置の重力方向に対する姿勢が前記第１の姿勢とは異なる第２の姿勢である場合に、前記第１のアンテナよりも前記所定の偏波に対する感度が高くなる方向に向けて設置されており、前記切換スイッチは、前記アンテナ装置の重力方向に対する姿勢が前記第１の姿勢である場合に、前記第１のアンテナを用いて前記所定の偏波を受信または送信するように、前記切り換えを行い、前記アンテナ装置の重力方向に対する姿勢が前記第２の姿勢である場合に、前記第２のアンテナを用いて前記所定の偏波を受信または送信するように、前記切り換えを行う、アンテナ装置。
【００１１】
本適用例において、アンテナ装置についての「第１の姿勢」および「第２の姿勢」とは、相対的に規定されるものであり、絶対的に規定されるものではない。つまり、アンテナ装置の重力方向に対する姿勢について、第１の姿勢の基準となる第１の基準姿勢と、第２の姿勢の基準となる第２の基準姿勢とを定めたときに、アンテナ装置の重力方向に対する姿勢が、第２の基準姿勢よりも第１の基準姿勢に近ければ、アンテナ装置の重力方向に対する姿勢は、第１の姿勢である。また、アンテナ装置の重力方向に対する姿勢が、第１の基準姿勢よりも第２の基準姿勢に近ければ、アンテナ装置の重力方向に対する姿勢は、第２の姿勢である。
【００１２】
適用例１のアンテナ装置では、アンテナ装置の重力方向に対する姿勢が第１の姿勢である場合には、上記切換スイッチを切り換えることによって、所定の偏波に対する感度が第２のアンテナよりも高く、第１の姿勢に適した第１のアンテナを用いて所定の偏波の受信または送信を行うことができる。また、アンテナ装置の重力方向に対する姿勢が第２の姿勢である場合には、上記切換スイッチを切り換えることによって、所定の偏波に対する感度が第１のアンテナよりも高く、第２の姿勢に適した第２のアンテナを用いて所定の偏波の受信または送信を行うことができる。したがって、適用例１のアンテナ装置によって、アンテナ装置の重力方向に対する姿勢が第１の姿勢と第２の姿勢との間で変化した場合であっても、所定の偏波を良好に受信または送信可能とすることができる。
【００１３】
なお、適用例１のアンテナ装置において、アンテナの種類は、上記第１のアンテナと第２のアンテナとの２種類に限られるものではない。例えば、適用例１のアンテナ装置に、さらに、アンテナ装置の重力方向に対する姿勢が上記第１および第２の姿勢とは異なる第３の姿勢であるときに、上記第１および第２のアンテナよりも所定の偏波に対する感度が高くなる方向に向けて設置された第３のアンテナを備えるようにしてもよい。この場合、上記切換スイッチが、さらに、アンテナ装置の重力方向に対する姿勢が第３の姿勢である場合に、第３のアンテナを用いて所定の偏波を受信または送信するように切り換え可能とすればよい。適用例１のアンテナ装置において、アンテナ装置の重力方向に対する姿勢の数と、各姿勢に適したアンテナの種類の数とが対応していればよい。
【００１４】
［適用例２］適用例１記載のアンテナ装置であって、さらに、前記アンテナ装置の重力方向に対する姿勢を検出するセンサと、前記センサの出力に基づいて、前記切換スイッチを制御する切換スイッチ制御部と、を備えるアンテナ装置。
【００１５】
適用例２のアンテナ装置では、上記切換スイッチ制御部が、上記センサの出力に基づいて、アンテナ装置の重力方向に対する姿勢を判断し、上記切換スイッチを自動的に切り換えることができる。なお、上記センサの出力としては、例えば、アンテナ装置の重力方向に対する姿勢が第１の姿勢であるか第２の姿勢であるかの２種類の出力としてもよいし、アンテナ装置の姿勢の重力方向に対する傾斜角度を表す出力であってもよい。
【００１６】
［適用例３］適用例１記載のアンテナ装置であって、前記アンテナ装置の重力方向に対する姿勢に応じて開閉状態が切り換わる重力スイッチと、前記重力スイッチの開閉状態に基づいて、前記切換スイッチを制御する切換スイッチ制御部と、を備えるアンテナ装置。
【００１７】
適用例３のアンテナ装置では、上記切換スイッチ制御部が、上記重力スイッチの開閉状態に基づいて、アンテナ装置の重力方向に対する姿勢を判断し、上記切換スイッチを自動的に切り換えることができる。なお、上記重力スイッチは、アンテナ装置の重力方向に対する姿勢が第１の姿勢であるときに、開状態となるように設定した場合には、アンテナ装置の重力方向に対する姿勢が第２の姿勢であるときには、閉状態となる。また、上記重力スイッチは、アンテナ装置の重力方向に対する姿勢が第１の姿勢であるときに、閉状態となるように設定した場合には、アンテナ装置の重力方向に対する姿勢が第２の姿勢であるときには、開状態となる。
【００１８】
［適用例４］適用例１記載のアンテナ装置であって、さらに、前記アンテナ装置の重力方向に対する姿勢に応じて、ユーザによって操作される操作スイッチと、前記操作スイッチのセット状態に基づいて、前記切換スイッチを制御する切換スイッチ制御部と、を備えるアンテナ装置。
【００１９】
適用例４のアンテナ装置では、上記切換スイッチ制御部が、上記操作スイッチのセット状態に基づいて、アンテナ装置の重力方向に対する姿勢を判断し、上記切換スイッチを切り換えることができる。なお、本適用例のアンテナ装置において、上記切換スイッチ制御部を省略し、上記操作スイッチのセット状態に連動して上記切換スイッチが切り換わるようにしてもよい。
【００２０】
［適用例５］適用例１ないし４のいずれかに記載のアンテナ装置であって、前記第１のアンテナ、および、前記第２のアンテナは、それぞれ、多重通信を行うための複数のアンテナを含む、アンテナ装置。
【００２１】
適用例５のアンテナ装置では、各姿勢において、複数のアンテナを用いて、それぞれ異なる信号の受信または送信を行うようにすることができるので、無線通信の高速化を図ることができる。
【００２２】
［適用例６］適用例１ないし５のいずれかに記載のアンテナ装置であって、所定方向から見たときの断面形状が略矩形形状を有する筐体を備えており、前記第１の姿勢は、前記筐体において、前記略矩形形状の第１の辺を含む面が重力方向に対して略垂直となる姿勢であり、前記第２の姿勢は、前記筐体において、前記略矩形形状の前記第１の辺と直交する第２の辺を含む面が重力方向に対して略垂直となる姿勢であり、前記アンテナ装置において、前記第１のアンテナと、前記第２のアンテナとは、前記所定方向から見たときに、互いに９０度ずれた方向を向くように設置されている、アンテナ装置。
【００２３】
適用例６のアンテナ装置は、いわゆる横置きの状態、または、縦置きの状態で利用されるアンテナ装置である。適用例６のアンテナ装置では、アンテナ装置が横置きで利用される場合でも、縦置きで利用される場合でも、上記所定の偏波を良好に受信または送信可能にすることができる。
【００２４】
［適用例７］適用例６記載のアンテナ装置であって、前記所定の偏波は、垂直偏波であり、前記アンテナ装置において、前記第１のアンテナは、前記アンテナ装置の重力方向に対する姿勢が前記第１の姿勢であるときに、重力方向を向くように設置されている、アンテナ装置。
【００２５】
適用例７のアンテナ装置では、アンテナ装置の重力方向に対する姿勢が第１の姿勢である場合に、第１のアンテナを用いて、垂直偏波の受信または送信を良好に行うことができる。また、アンテナ装置の重力方向に対する姿勢が第２の姿勢である場合に、第２のアンテナを用いて、垂直偏波の受信または送信を良好に行うことができる。
【００２６】
［適用例８］適用例６記載のアンテナ装置であって、前記所定の偏波は、水平偏波であり、前記アンテナ装置において、前記第１のアンテナは、前記アンテナ装置の重力方向に対する姿勢が前記第１の姿勢であるときに、重力方向に対して垂直な方向を向くように設置されている、アンテナ装置。
【００２７】
適用例８のアンテナ装置では、アンテナ装置の重力方向に対する姿勢が第１の姿勢である場合に、第１のアンテナを用いて、水平偏波の受信または送信を良好に行うことができる。また、アンテナ装置の重力方向に対する姿勢が第２の姿勢である場合に、第２のアンテナを用いて、水平偏波の受信または送信を良好に行うことができる。
【００２８】
なお、本発明は、上述のアンテナ装置としての構成の他、上述のアンテナ装置を備える無線通信装置の発明として構成することもできる。
【図面の簡単な説明】
【００２９】
【図１】本発明の第１実施例としてのアンテナ装置１００の概略構成を示す説明図である。
【図２】本発明の第２実施例としてのアンテナ装置１００Ａの概略構成を示す説明図である。
【図３】本発明の第３実施例としてのアンテナ装置１００Ｂの概略構成を示す説明図である。
【図４】第１実施例の第１変形例としてのアンテナ装置１００Ｃの概略構成を示す説明図である。
【図５】第１実施例の第２変形例としてのアンテナ装置１００Ｄの概略構成を示す説明図である。
【発明を実施するための形態】
【００３０】
以下、本発明の実施の形態について、実施例に基づき説明する。
Ａ．第１実施例：
図１は、本発明の第１実施例としてのアンテナ装置１００の概略構成を示す説明図である。図示するように、本実施例のアンテナ装置１００は、断面形状が矩形形状を有する筐体１１０を備えている。そして、アンテナ装置１００は、図１（ａ）に示したように、筐体１１０の断面形状における矩形形状の長辺１１０ｓ１を含む面が重力方向と垂直となる第１の姿勢（横置き）、または、図１（ｂ）に示したように、筐体１１０の断面形状における矩形形状の短辺１１０ｓ２を含む面が重力方向と垂直となる第２の姿勢（縦置き）で利用される。
【００３１】
アンテナ装置１００は、第１のアンテナ１０と、第２のアンテナ２０と、ＲＦスイッチ３０と、ＣＰＵ４０と、センサ５０と、ＲＦ／ＭＡＣ／ＢＢ処理部６０とを備えている。ＣＰＵ４０は、スイッチ制御部４２を備えている。
【００３２】
アンテナ装置１００において、第１のアンテナ１０は、アンテナ装置１００が横置きの場合に、垂直偏波を良好に受信または送信可能なように、アンテナ装置１００が横置きの状態で、重力方向を向くように設置されている（図１（ａ）参照）。また、アンテナ装置１００において、第２のアンテナ２０は、アンテナ装置１００が縦置きの場合に、垂直偏波を良好に受信または送信可能なように、重力方向を向くように設置されている（図１（ｂ）参照）。つまり、第１のアンテナ１０と第２のアンテナ２０とは、図示した方向から見たときに、９０度ずれた方向を向くように設置されている。
【００３３】
センサ５０は、アンテナ装置１００の重力方向に対する姿勢、すなわち、アンテナ装置１００が横置きされているか、縦置きされているかを検出する。そして、本実施例では、センサ５０は、アンテナ装置１００が横置きされている場合には、アンテナ装置１００が横置きされていることを表す第１種の信号を出力する。また、センサ５０は、アンテナ装置１００が縦置きされている場合には、アンテナ装置１００が縦置きされていることを表す第２種の信号を出力する。
【００３４】
このようなセンサ５０としては、例えば、加速度センサや、ジャイロセンサや、傾度センサ等を用いることができる。なお、センサ５０として、加速度センサや、ジャイロセンサや、傾度センサ等を用いる場合には、例えば、アンテナ装置１００を水平面に横置きしたときを基準（傾斜角度が０）とし、センサ５０は、例えば、アンテナ装置１００の傾斜角度が０±４５度のときに、第１種の信号を出力し、傾斜角度が９０±４５度のときに、第２種の信号を出力するようにすることができる。なお、センサ５０は、例えば、アンテナ装置１００の傾斜角度が０±１０度のときに、第１種の信号を出力し、アンテナ装置１００の傾斜角度が９０±１０度のときに、第２種の信号を出力し、アンテナ装置１００の傾斜角度が０±１０度、または、９０±１０度以外の場合に、アンテナ装置１００が正しく設置されていないことを表すエラー信号を出力するようにしてもよい。
【００３５】
また、センサ５０として、接触センサを用いることも可能である。センサ５０として、接触センサを用いる場合には、設置面と接触する筐体１１０の表面、換言すれば、アンテナ装置１００を設置したときに下側になる筐体１１０の表面に接触センサを設け、設置面との接触状態を検出することによって、アンテナ装置１００が横置きされているか、縦置きされているかを検出することができる。
【００３６】
スイッチ制御部４２は、センサ５０の出力に基づいて、ＲＦスイッチ３０を切り換える。具体的には、図１（ａ）に示したように、アンテナ装置１００が横置きされている場合には、スイッチ制御部４２は、センサ５０から出力される第１種の信号に基づいて、アンテナ装置１００が横置きされていると判断し、第１のアンテナ１０を用いて垂直偏波の受信または送信を行うように、ＲＦスイッチ３０を切り換える。また、図１（ｂ）に示したように、アンテナ装置１００が縦置きされている場合には、スイッチ制御部４２は、センサ５０から出力される第２種の信号に基づいて、アンテナ装置１００が縦置きされていると判断し、第２のアンテナ２０を用いて垂直偏波の受信または送信を行うように、ＲＦスイッチ３０を切り換える。
【００３７】
ＲＦ／ＭＡＣ／ＢＢ処理部６０は、電波の受信時または送信時に、ＲＦ処理（ＲＦ：Ｒａｄｉｏ Ｆｒｅｑｕｅｎｃｙ）と、ＭＡＣ処理（ＭＡＣ：Ｍｅｄｉａ Ａｃｃｅｓｓ Ｃｏｎｔｒｏｌ）と、ＢＢ処理（ＢＢ：Ｂａｓｅ Ｂａｎｄ）とを行う。なお、本明細書では、これらの各処理についての詳細な説明は省略する。
【００３８】
以上説明した第１実施例のアンテナ装置１００によれば、センサ５０の出力に基づいて、アンテナ装置１００の重力方向に対する姿勢を判断し、アンテナ装置１００の重力方向に対する姿勢が第１の姿勢（横置き）である場合には、第１の姿勢に適した第１のアンテナ１０を用いて垂直偏波の受信または送信を良好に行い、アンテナ装置１００の重力方向に対する姿勢が第２の姿勢（縦置き）である場合には、第２の姿勢に適した第２のアンテナ２０を用いて垂直偏波の受信または送信を良好に行うことができる。
【００３９】
Ｂ．第２実施例：
図２は、本発明の第２実施例としてのアンテナ装置１００Ａの概略構成を示す説明図である。図２と図１との比較から分かるように、本実施例のアンテナ装置１００Ａは、第１実施例のアンテナ装置１００におけるセンサ５０の代わりに、重力スイッチ５０Ａを備えている。また、本実施例のアンテナ装置１００Ａが備えるＣＰＵ４０は、第１実施例のアンテナ装置１００におけるスイッチ制御部４２の代わりに、スイッチ制御部４２Ａを備えている。これら以外のアンテナ装置１００Ａの構成は、第１実施例のアンテナ装置１００の構成と同じである。
【００４０】
重力スイッチ５０Ａは、重力が作用する方向に応じて開閉状態が変化するスイッチである。本実施例では、アンテナ装置１００Ａにおいて、重力スイッチ５０Ａは、アンテナ装置１００Ａが横置きの場合に閉状態となり、アンテナ装置１００Ａが縦置きの場合に開状態となるように設置するものとした。アンテナ装置１００Ａにおいて、重力スイッチ５０Ａは、アンテナ装置１００Ａが横置きの場合に開状態となり、アンテナ装置１００Ａが縦置きの場合に閉状態となるように設置するようにしてもよい。
【００４１】
スイッチ制御部４２Ａは、重力スイッチ５０Ａの開閉状態に基づいて、ＲＦスイッチ３０を切り換える。具体的には、図２（ａ）に示したように、アンテナ装置１００Ａが横置きされている場合には、スイッチ制御部４２Ａは、重力スイッチ５０Ａが閉状態であることに基づいて、アンテナ装置１００Ａが横置きされていると判断し、第１のアンテナ１０を用いて垂直偏波の受信または送信を行うように、ＲＦスイッチ３０を切り換える。また、図２（ｂ）に示したように、アンテナ装置１００Ａが縦置きされている場合には、スイッチ制御部４２Ａは、重力スイッチ５０Ａが開状態であることに基づいて、アンテナ装置１００Ａが縦置きされていると判断し、第２のアンテナ２０を用いて垂直偏波の受信または送信を行うように、ＲＦスイッチ３０を切り換える。
【００４２】
以上説明した第２実施例のアンテナ装置１００Ａによれば、重力スイッチ５０Ａの開閉状態に基づいて、アンテナ装置１００Ａの重力方向に対する姿勢を判断し、アンテナ装置１００Ａの重力方向に対する姿勢が第１の姿勢（横置き）である場合には、第１の姿勢に適した第１のアンテナ１０を用いて垂直偏波の受信または送信を良好に行い、アンテナ装置１００Ａの重力方向に対する姿勢が第２の姿勢（縦置き）である場合には、第２の姿勢に適した第２のアンテナ２０を用いて垂直偏波の受信または送信を良好に行うことができる。
【００４３】
Ｃ．第３実施例：
図３は、本発明の第３実施例としてのアンテナ装置１００Ｂの概略構成を示す説明図である。図３と図１との比較から分かるように、本実施例のアンテナ装置１００Ｂは、第１実施例のアンテナ装置１００におけるセンサ５０の代わりに、ユーザによって操作される操作スイッチ５０Ｂを備えている。また、本実施例のアンテナ装置１００Ｂが備えるＣＰＵ４０は、第１実施例のアンテナ装置１００におけるスイッチ制御部４２の代わりに、スイッチ制御部４２Ｂを備えている。これら以外のアンテナ装置１００Ｂの構成は、第１実施例のアンテナ装置１００の構成と同じである。
【００４４】
本実施例では、操作スイッチ５０Ｂとして、図中に模式的に示したように、ユーザがつまみの位置をスライドさせることによって接点が切り換わるスライドスイッチを用いるものとした。ユーザは、アンテナ装置１００Ｂを横置きした場合には、操作スイッチ５０Ｂのつまみを「横」の位置にスライドさせ、アンテナ装置１００Ｂを縦置きした場合には、操作スイッチ５０Ｂのつまみを「縦」の位置にスライドさせる。操作スイッチ５０Ｂとして、ボタンスイッチや、ロータリースイッチ等、他の操作スイッチを用いるものとしてもよい。
【００４５】
スイッチ制御部４２Ｂは、操作スイッチ５０Ｂのセット状態に基づいて、ＲＦスイッチ３０を切り換える。具体的には、図３（ａ）に示したように、アンテナ装置１００Ｂが横置きされ、操作スイッチ５０Ｂが「横」にセットされている場合には、スイッチ制御部４２Ｂは、第１のアンテナ１０を用いて垂直偏波の受信または送信を行うように、ＲＦスイッチ３０を切り換える。また、図３（ｂ）に示したように、アンテナ装置１００Ｂが縦置きされ、操作スイッチ５０Ｂが「縦」にセットされている場合には、スイッチ制御部４２Ｂは、第２のアンテナ２０を用いて垂直偏波の受信または送信を行うように、ＲＦスイッチ３０を切り換える。このようなＲＦスイッチ３０の切り換えの判断は、例えば、ＣＰＵ４０が備えるＧＰＩＯ（General Purpose Input/Output）に、操作スイッチ５０Ｂから入力されるＨｉ／Ｌｏｗ信号に基づいて行われる。
【００４６】
以上説明した第３実施例のアンテナ装置１００Ｂによれば、操作スイッチ５０Ｂのセット状態によって、アンテナ装置１００Ｂの重力方向に対する姿勢を判断し、アンテナ装置１００Ｂの重力方向に対する姿勢が第１の姿勢（横置き）である場合には、第１の姿勢に適した第１のアンテナ１０を用いて垂直偏波の受信または送信を良好に行い、アンテナ装置１００Ｂの重力方向に対する姿勢が第２の姿勢（縦置き）である場合には、第２の姿勢に適した第２のアンテナ２０を用いて垂直偏波の受信または送信を良好に行うことができる。
【００４７】
Ｄ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形が可能である。
【００４８】
Ｄ１．変形例１：
図４は、第１実施例の第１変形例としてのアンテナ装置１００Ｃの概略構成を示す説明図である。本変形例のアンテナ装置１００Ｃは、ＭＩＭＯ（Ｍｕｌｔｉｐｌｅ Ｉｎｐｕｔ Ｍｕｌｔｉｐｌｅ Ｏｕｔｐｕｔ）に対応したアンテナ装置である。図４では、アンテナ装置１００Ｃが横置きされている状態を示している。
【００４９】
図４と図１との比較から分かるように、本変形例のアンテナ装置１００Ｃは、第１実施例のアンテナ装置１００における第１のアンテナ１０の代わりに、複数の第１のアンテナ１０（１）〜１０（ｎ）を備えている。複数の第１のアンテナ１０（１）〜１０（ｎ）は、空間的にずれて配置されており、また、これらは、アンテナ装置１００Ｃが横置きの場合に、垂直偏波を良好に受信または送信可能なように、アンテナ装置１００Ｃが横置きの状態で、それぞれ重力方向を向くように設置されている。
【００５０】
また、アンテナ装置１００Ｃは、第１実施例のアンテナ装置１００における第２のアンテナ２０の代わりに、複数の第２のアンテナ２０（１）〜２０（ｎ）を備えている。複数の第２のアンテナ２０（１）〜２０（ｎ）も、複数の第１のアンテナ１０（１）〜１０（ｎ）と同様に、それぞれ、空間的にずれて配置されており、これらは、アンテナ装置１００Ｃが縦置きの場合に、垂直偏波を良好に受信または送信可能なように、アンテナ装置１００Ｃが縦置きの状態で、それぞれ重力方向を向くように設置されている。
【００５１】
また、アンテナ装置１００Ｃは、第１実施例のアンテナ装置１００におけるＲＦスイッチ３０の代わりに、複数の第１のアンテナ１０（１）〜１０（ｎ）を用いて垂直偏波の受信または送信を行うか、複数の第２のアンテナ２０（１）〜２０（ｎ）を用いて垂直偏波の受信または送信を行うかを切り換えるＲＦスイッチ３０Ｃを備えている。また、アンテナ装置１００Ｃは、第１実施例のアンテナ装置１００におけるＲＦ／ＭＡＣ／ＢＢ処理部６０の代わりに、ＭＩＭＯに対応したＲＦ／ＭＡＣ／ＢＢ処理部６０Ｃを備えている。また、本変形例のアンテナ装置１００Ｃが備えるＣＰＵ４０は、第１実施例のアンテナ装置１００におけるスイッチ制御部４２の代わりに、スイッチ制御部４２Ｃを備えている。なお、アンテナ装置１００Ｃにおけるセンサ５０は、第１実施例のアンテナ装置１００におけるセンサ５０と同じである。
【００５２】
スイッチ制御部４２Ｃは、第１実施例におけるスイッチ制御部４２と同様に、センサ５０の出力に基づいて、ＲＦスイッチ３０Ｃを切り換える。具体的には、図４に示したように、アンテナ装置１００Ｃが横置きされている場合には、スイッチ制御部４２Ｃは、センサ５０から出力される第１種の信号に基づいて、アンテナ装置１００Ｃが横置きされていると判断し、複数の第１のアンテナ１０（１）〜１０（ｎ）を用いて垂直偏波の受信または送信を行うように、ＲＦスイッチ３０Ｃを切り換える。また、図示は省略しているが、アンテナ装置１００Ｃが縦置きされている場合には、スイッチ制御部４２Ｃは、センサ５０から出力される第２種の信号に基づいて、アンテナ装置１００Ｃが縦置きされていると判断し、複数の第２のアンテナ２０（１）〜２０（ｎ）を用いて垂直偏波の受信または送信を行うように、ＲＦスイッチ３０Ｃを切り換える。
【００５３】
ＲＦ／ＭＡＣ／ＢＢ処理部６０Ｃは、電波の受信時または送信時に、ＭＩＭＯに対応したＲＦ処理（ＲＦ：Ｒａｄｉｏ Ｆｒｅｑｕｅｎｃｙ）と、ＭＡＣ処理（ＭＡＣ：Ｍｅｄｉａ Ａｃｃｅｓｓ Ｃｏｎｔｒｏｌ）と、ＢＢ処理（ＢＢ：Ｂａｓｅ Ｂａｎｄ）とを行う。なお、本明細書では、これらの各処理についての詳細な説明は省略する。
【００５４】
以上説明した第１変形例のアンテナ装置１００Ｃによれば、第１実施例のアンテナ装置１００と同様に、センサ５０の出力に基づいて、アンテナ装置１００Ｃの重力方向に対する姿勢を判断し、アンテナ装置１００Ｃの重力方向に対する姿勢が第１の姿勢（横置き）である場合には、第１の姿勢に適した複数の第１のアンテナ１０（１）〜１０（ｎ）を用いて垂直偏波の受信または送信を良好に行い、アンテナ装置１００Ｃの重力方向に対する姿勢が第２の姿勢（縦置き）である場合には、第２の姿勢に適した複数の第２のアンテナ２０（１）〜２０（ｎ）を用いて垂直偏波の受信または送信を良好に行うことができる。
【００５５】
さらに、本変形例のアンテナ装置１００Ｃによれば、各姿勢において、複数のアンテナを用いて、それぞれ異なる信号の受信または送信を行うようにすることができるので、無線通信の高速化を図ることができる。
【００５６】
Ｄ２．変形例２：
図５は、第１実施例の第２変形例としてのアンテナ装置１００Ｄの概略構成を示す説明図である。本変形例のアンテナ装置１００Ｄは、上記各実施例のアンテナ装置１００，１００Ａ，１００Ｂとは異なり、水平偏波の受信または送信を行う。
【００５７】
図５と図１との比較から分かるように、本変形例のアンテナ装置１００Ｄでは、アンテナ装置１００Ｄが備えるＣＰＵ４０は、第１実施例のアンテナ装置１００におけるスイッチ制御部４２の代わりに、スイッチ制御部４２Ｄを備えている。これ以外のアンテナ装置１００Ｄの構成は、第１実施例のアンテナ装置１００の構成と同じである。
【００５８】
スイッチ制御部４２Ｄは、センサ５０の出力に基づいて、ＲＦスイッチ３０を切り換える。具体的には、図５（ａ）に示したように、アンテナ装置１００Ｄが横置きされている場合には、スイッチ制御部４２Ｄは、センサ５０から出力される第１種の信号に基づいて、アンテナ装置１００Ｄが横置きされていると判断し、第２のアンテナ２０を用いて水平偏波の受信または送信を行うように、ＲＦスイッチ３０を切り換える。また、図５（ｂ）に示したように、アンテナ装置１００Ｄが縦置きされている場合には、スイッチ制御部４２Ｄは、センサ５０から出力される第２種の信号に基づいて、アンテナ装置１００Ｄが縦置きされていると判断し、第１のアンテナ１０を用いて水平偏波の受信または送信を行うように、ＲＦスイッチ３０を切り換える。
【００５９】
以上説明した第２変形例のアンテナ装置１００Ｄによれば、センサ５０の出力に基づいて、アンテナ装置１００Ｄの重力方向に対する姿勢を判断し、アンテナ装置１００Ｄが横置きされている場合には、横置きに適した第２のアンテナ２０を用いて水平偏波の受信または送信を良好に行い、アンテナ装置１００が縦置きされている場合には、縦置きに適した第１のアンテナ１０を用いて水平偏波の受信または送信を良好に行うことができる。
【００６０】
Ｄ３．変形例３：
上記第３実施例のアンテナ装置１００Ｂでは、操作スイッチ５０Ｂとして、スライドスイッチを用いるものとし、このスライドスイッチのセット状態を、ユーザが、自ら意識して切り換えるものとしたが、本発明は、これに限られない。アンテナ装置１００Ｂに、ユーザが意識せずに、自動的にセット状態が切り換わる操作スイッチ５０Ｂを適用することも可能である。
【００６１】
例えば、アンテナ装置１００Ｂが縦置きされる場合には、アンテナ装置１００Ｂの転倒防止のために、筐体１１０に台座が装着される場合がある。このような場合には、筐体１１０への台座の着脱に連動して、操作スイッチ５０Ｂのセット状態が切り換わるようにしてもよい。このような態様で用いられる操作スイッチ５０Ｂとしては、例えば、ボタンスイッチが挙げられ、例えば、筐体１１０に台座が装着されているときには、台座によって、自動的にボタンスイッチが押下されて、アンテナ装置１００Ｂが縦置きであることを示す状態になるようにし、筐体１１０から台座が外されているときには、ボタンスイッチが押下されずに、アンテナ装置１００Ｂが横置きであることを示す状態になるようにしてもよい。ボタンスイッチの代わりに、台座の着脱に連動して、セット状態が自動的に切り換わるスライドスイッチを用いるようにしてもよい。
【００６２】
また、例えば、筐体１１０における長辺１１０ｓ１を含む表面にボタンスイッチを設けるようにし、アンテナ装置１００Ｂが横置きされているときには、設置面によって、自動的にボタンスイッチが押下されて、アンテナ装置１００Ｂが横置きであることを示す状態になるようにし、アンテナ装置１００Ｂが縦置きされているときには、ボタンスイッチが押下されずに、アンテナ装置１００Ｂが縦置きであることを示す状態になるようにするようにしてもよい。
【００６３】
Ｄ４．変形例４：
上記第１変形例のアンテナ装置１００Ｃ、および、第２変形例のアンテナ装置１００Ｄでは、センサ５０の出力に基づいて、ＲＦスイッチ３０Ｃ，３０の切り換えを行うものとしたが、先に説明した第２実施例のアンテナ装置１００Ａや、第３実施例のアンテナ装置１００Ｂと同様に、重力スイッチ５０Ａの開閉状態や、操作スイッチ５０Ｂのセット状態に基づいて、ＲＦスイッチ３０Ｃ，３０の切り換えを行うものとしてもよい。
【００６４】
Ｄ５．変形例５：
上記第２および第３実施例のアンテナ装置１００Ａ，１００Ｂでは、各アンテナ１０，２０は、垂直偏波を受信または送信するものとしたが、上記第２変形例のアンテナ装置１００Ｄと同様に、水平偏波を受信または送信するようにしてもよい。この場合、上記第２変形例のアンテナ装置１００Ｄと同様に、ＲＦスイッチ３０の切り換えを反転させればよい。これは、上記第１変形例のアンテナ装置１００Ｃについても同様である。
【００６５】
Ｄ６．変形例６：
上記第１ないし第３実施例のアンテナ装置１００，１００Ａ，１００Ｂでは、アンテナ装置１００，１００Ａ，１００Ｂの重力方向に対する姿勢は、横置き（第１の姿勢）であるか縦置き（第２の姿勢）であるかの２種類としたが、本発明は、これに限られない。例えば、上記第１ないし第３実施例のアンテナ装置１００，１００Ａ，１００Ｂに、さらに、アンテナ装置１００，１００Ａ，１００Ｂの重力方向に対する姿勢が上記第１および第２の姿勢とは異なる第３の姿勢であるときに、第１および第２のアンテナ１０，２０よりも垂直偏波に対する感度が高くなる方向に向けて設置された第３のアンテナを備えるようにしてもよい。この場合、ＲＦスイッチが、さらに、アンテナ装置１００，１００Ａ，１００Ｂの重力方向に対する姿勢が第３の姿勢である場合に、第３のアンテナを用いて垂直偏波を受信または送信するように切り換え可能とすればよい。これは、上記各変形例のアンテナ装置についても同様である。
【００６６】
Ｄ７．変形例７：
上記第１ないし第３実施例のアンテナ装置１００，１００Ａ，１００Ｂでは、アンテナ装置１００，１００Ａ，１００Ｂの筐体１１０の断面形状は、矩形形状であるものとしたが、本発明は、これに限られない。アンテナ装置１００，１００Ａ，１００Ｂの筐体１１０の断面形状を他の形状としてもよい。
【００６７】
Ｄ８．変形例８：
上記各実施例、および、各変形例のアンテナ装置に、さらに、垂直偏波を受信または送信するか、水平偏波を受信または送信するかを切り換える偏波切換スイッチを設けるようにしてもよい。こうすることによって、アンテナ装置が受信または送信する偏波を容易に切り換えることができる。
【符号の説明】
【００６８】
１００，１００Ａ，１００Ｂ，１００Ｃ，１００Ｄ…アンテナ装置
１１０…筐体
１０，１０（１）〜１０（ｎ）…第１のアンテナ
２０，２０（１）〜２０（ｎ）…第２のアンテナ
３０，３０Ｃ…ＲＦスイッチ
４０…ＣＰＵ
４２，４２Ａ，４２Ｂ，４２Ｃ，４２Ｄ…スイッチ制御部
５０…センサ
５０Ａ…重力スイッチ
５０Ｂ…操作スイッチ
６０，６０Ｃ…ＲＦ／ＭＡＣ／ＢＢ処理部
【図１】
2010258490.tif 000003
【図２】
2010258490.tif 000004
【図３】
2010258490.tif 000005
【図４】
2010258490.tif 000006
【図５】
2010258490.tif 000007